(57)【要約】【課題】  軽量化を図ることができ、また、現場での構築作業を容易に行えるハト小屋を得る。【解決手段】  屋上スラブ２に開けられた貫通孔３に被せるように前記屋上スラブ２上に設置して、前記貫通孔３の箇所を防水するハト小屋１であって、前記屋上スラブ２上に設置されるハト小屋本体４を合成樹脂発泡材で形成し、前記合成樹脂発泡材からなる前記ハト小屋本体４の表面にはネット材１７を介して樹脂モルタル層１８を積層した。【選択図】    図７
2009034010.tif 000002
【特許請求の範囲】
【請求項１】
屋上スラブに開けられた貫通孔に被せるように前記屋上スラブ上に設置して、前記貫通孔の箇所を防水するハト小屋であって、前記屋上スラブ上に設置されるハト小屋本体は合成樹脂発泡材で形成され、前記合成樹脂発泡材からなる前記ハト小屋本体の表面にはネット材を介して樹脂モルタル層が積層されていることを特徴とするハト小屋。
【請求項２】
前記ハト小屋本体の壁部には、前記ネット材と前記樹脂モルタル層を貫通した貫通孔が設けられ、該貫通孔内には金属パイプが嵌められていることを特徴とする請求項１に記載のハト小屋。
【請求項３】
前記ハト小屋本体の壁面には、前記貫通孔の周囲を補強する補強用金属板が設けられていることを特徴とする請求項２に記載のハト小屋。
【請求項４】
前記ハト小屋本体の壁面には、屋上スラブ上に敷設された防水膜端末止着部材を取り付ける取付用金属板が設けられていることを特徴とする請求項１，２または３に記載のハト小屋。
【請求項５】
前記樹脂モルタル層の表面に遮熱塗料が塗布されて遮熱塗料層が形成されていることを特徴とする請求項１，２，３または４に記載のハト小屋。
【請求項６】
前記ハト小屋本体は筒状部と前記筒状部に被せられる蓋部とで構成されていることを特徴とする請求項１，２，３，４または５に記載のハト小屋。
【発明の詳細な説明】
【技術分野】
【０００１】
本発明は、屋上スラブに開けられた貫通孔に被せて、貫通孔の箇所を防水するハト小屋に関するものである。
【背景技術】
【０００２】
屋上スラブに開けられた貫通孔を通して設けられる空調用配管や給水配管等の設備配管や通気孔等の防水用として、屋上にハト小屋が設置されている。従来のこの種のハト小屋は、コンクリート製であった。コンクリート製のハト小屋は、既製品として予め工場で成型されているもの、或いは現場打ちで成型するもののいずれかであった（例えば、特許文献１参照。）。
【特許文献１】特開平８−２８４４１４号公報
【発明の開示】
【発明が解決しようとする課題】
【０００３】
しかしながら、コンクリート製のハト小屋は、全体重量が最小でも１００ｋｇ以上となり、既製品では非常に重たく、運搬や設置作業に労力と時間を要する問題があった。また、現場打ちのものでは非常に手間と時間がかかる問題があった。また、コンクリート製のハト小屋は、結露防止のために躯体内側に断熱層を設ける必要があり、構築作業に手間がかかるといった問題があった。
【０００４】
本発明の目的は、軽量化を図ることができ、また、現場での構築作業を容易に行えるハト小屋を提供することにある。
【課題を解決するための手段】
【０００５】
上記の目的を達成するために、請求項１に記載の発明は、屋上スラブに開けられた貫通孔に被せるように前記屋上スラブ上に設置して、前記貫通孔の箇所を防水するハト小屋であって、前記屋上スラブ上に設置されるハト小屋本体は合成樹脂発泡材で形成され、前記合成樹脂発泡材からなる前記ハト小屋本体の表面にはネット材を介して樹脂モルタル層が積層されていることを特徴とする。
【０００６】
請求項２に記載の発明は、請求項１に記載の、前記ハト小屋本体の壁部には、前記ネット材と前記樹脂モルタル層を貫通した貫通孔が設けられ、該貫通孔内には金属パイプが嵌められていることを特徴とする。
【０００７】
請求項３に記載の発明は、請求項２に記載の、前記ハト小屋本体の壁面には、前記貫通孔の周囲を補強する補強用金属板が設けられていることを特徴とする。
【０００８】
請求項４に記載の発明は、請求項１，２または３に記載の、前記ハト小屋本体の壁面には、屋上スラブ上に敷設された防水膜端末止着部材を取り付ける取付用金属板が設けられていることを特徴とする。
【０００９】
請求項５に記載の発明は、請求項１，２，３または４に記載の、前記樹脂モルタル層の表面に遮熱塗料が塗布されて遮熱塗料層が形成されていることを特徴とする。
【００１０】
請求項６に記載の発明は、請求項１，２，３，４または５に記載の、前記ハト小屋本体は筒状部と前記筒状部に被せられる蓋部とで構成されていることを特徴とする。
【発明の効果】
【００１１】
請求項１に記載のハト小屋によれば、屋上スラブ上に設置されるハト小屋本体は合成樹脂発泡材で形成されているのでコンクリート製のものに比べて非常に軽量化を図ることができ、また、前記合成樹脂発泡材からなる前記ハト小屋本体の表面にはネット材を介して樹脂モルタルが積層されているので、樹脂モルタル層によりハト小屋本体の強度を確保することができるとともに、耐火性を得ることができる。また、ハト小屋本体は合成樹脂発泡材で形成されているので、合成樹脂発泡材が断熱材としての機能を有することから、従来のコンクリート製のハト小屋のように、躯体内側に断熱層を設ける必要がなく、その分構築作業が容易となる。
【００１２】
請求項２に記載のハト小屋によれば、請求項１に記載の、前記ハト小屋本体の壁部には、前記ネット材と前記樹脂モルタル層を貫通した貫通孔が設けられているので、貫通孔を利用して設備配管の貫通または通気通路の確保を得ることができ、そして、貫通孔内には金属パイプが嵌められているので、貫通孔の補強を図ることができる。
【００１３】
請求項３に記載のハト小屋によれば、請求項２に記載の、前記ハト小屋本体の壁部には、前記貫通孔の周囲を補強する補強用金属板が設けられているので、貫通孔に挿通された設備配管による下向きの荷重で貫通孔が破壊されるのを防止することができ、また、前記ハト小屋本体の壁部に、前記貫通孔と連通するように保護管を取り付ける場合の下地材にもなる。
【００１４】
請求項４に記載のハト小屋によれば、請求項１，２または３に記載の、前記ハト小屋本体の壁面には、屋上スラブ上に敷設された防水膜の端末を止着する止着部材を取り付ける取付用金属板が設けられているので、止着部材を取付用金属板に取り付けることにより防水膜端末を前記ハト小屋本体の壁面に確実に止着することができる。
【００１５】
請求項５に記載のハト小屋によれば、請求項１，２，３または４に記載の、前記ハト小屋本体の表面に積層された前記樹脂モルタル層の表面に遮熱塗料が塗布されて遮熱塗料層が形成されてているので、遮熱塗料層が合成樹脂発泡材からなるハト小屋本体の熱を拡散させることにより、ハト小屋本体の蓄熱の防止を図ることができる。
【００１６】
請求項６に記載のハト小屋によれば、請求項１，２，３，４または５に記載の、前記ハト小屋本体は筒状部と前記筒状部に被せられる蓋部とで構成されているので、蓋部を外すことにより配管設備の設置や内部の点検等を容易に行うことができる。
【発明を実施するための最良の形態】
【００１７】
以下、本発明に係るハト小屋の実施の形態の一例を図面を参照して詳細に説明する。ここで、図１は本発明に係るハト小屋の一実施例を示す斜視図、図２は図１に示したハト小屋のＡ−Ａ線断面図、図３は本例のハト小屋の層構造を示す部分拡大切欠斜視図、図４は本例のハト小屋の層構造を示す部分拡大断面図、図５は本例のハト小屋の貫通孔の部分を示す一部省略拡大斜視図、図６は本例のハト小屋の壁面に設けられた取付用金属板の部分を示す一部省略正面図、図７は、本例のハト小屋を屋上に設置した状態を示す断面図である。
【００１８】
本例のハト小屋１は、建物の屋上スラブ２に開けられた貫通孔３に被せて屋上スラブ２上に設置され、貫通孔３の箇所を防水する構造のハト小屋本体４からなり、ハト小屋本体４は合成樹脂発泡材で形成されている。
【００１９】
ハト小屋本体４を形成する合成樹脂発泡材は、例えば炭酸カルシウム発泡体、パーライト、シラス発泡体、シリカ発泡体等が挙げられるが、不燃性があり且つ断熱性をもつ無機発泡体が好ましい。この合成樹脂発泡材の材質は、特に限定されるものではない。
【００２０】
このハト小屋本体４は、本例では下部が開口されて上部が閉じられた四角筒状をなし、ハト小屋１の壁部となる下部と上部が開口された筒状部５と、ハト小屋１の屋根となる、すなわち筒状部５の上部開口部を閉鎖する蓋部６とで構成されている。
【００２１】
筒状部５の下端には、、筒状部５を屋上スラブ２上に設置したときの安定性を得るためのスカート部７が形成されている。また、筒状部５の高さ方向の中間部位外周には鍔部８が突設されている。鍔部８の下面には、周方向に水切り部９が形成されている。
【００２２】
筒状部５の上端には、凸部１０が周方向に沿って突設されている。そして、蓋部６の下面には、筒状部５の上端に突設されている凸部１０に対応する位置に、凸部１０と嵌合する凹部１１が周方向に沿って形成されており、筒状部５の上端に突設されている凸部１０を蓋部６の下面に形成されている凹部１１に嵌合することにより、筒状部５の上部開口部を蓋部６で閉鎖できるようになっている。また蓋部６の外周側の下面には、周方向に水切り部１２が形成されている。
【００２３】
ハト小屋本体４の壁部となる筒状部５には、鍔部８より上の部分に、屋上スラブ２に開けられた貫通孔３を通して設けられる空調用配管や給水配管等の設備配管を挿通する貫通孔１３が設けられている。この貫通孔１３には金属パイプ１４が嵌められている。
【００２４】
また、本例では、ハト小屋本体４の壁部となる筒状部５には、貫通孔１３の周囲のハト小屋本体４の壁面、すなわち筒状部５の壁面には、貫通孔１３の周囲を補強する補強用金属板１５が接着剤で接着されて設けられている。この補強用金属板１５としては、本例ではパンチングメタルが用いられており、筒状部５の壁面に、貫通孔１３と連通するように保護管を取り付ける場合の下地材も兼ねている。
【００２５】
また、ハト小屋本体４の壁部となる筒状部５には、鍔部８より下の部分の壁面に、屋上スラブ２上に敷設された防水膜の端末を止着する止着部材を取り付ける取付用金属板１６が接着剤で接着されて設けられている。この取付用金属板１６としては、本例ではパンチングメタルが用いられている。
【００２６】
前記のように構成された合成樹脂発泡材からなるハト小屋本体４の表面には、ネット材１７を介して樹脂モルタル層１８が積層されている。ネット材１７はハト小屋本体４の表面に固定して張られているが、その固定手段にあっては特に限定されるものではなく、容易に脱落しない程度に張られていればよい。
【００２７】
ネット材１７としては、例えばガラスクロスメッシュ、ガラスファイバーメッシュ、耐アルカリ性ガラス繊維メッシュ、アラミド繊維メッシュ、炭素繊維メッシュ、ナイロンメッシュ、ビニロンメッシュ、或いはポリプロピレンメッシュ等が挙げられる。
【００２８】
また、樹脂モルタル層１８は、例えばセメント、樹脂エマルジョンを必須成分として含有する。樹脂エマルジョンとしては、例えばアクリル樹脂、アクリルシリコーン樹脂等のアクリル系樹脂からなるアクリル系樹脂エマルジョンが挙げられる。セメントは、樹脂モルタルに係る技術分野において公知のセメント材料であれば特に限定されず、例えばポルトランドセメント、アルミナセメント等が挙げられ、これらは単独で、または２種以上を併用して用いることができる。
【００２９】
更に、本例では、樹脂モルタル層１８の表面に、遮熱塗料が塗布され遮熱塗料層１９が形成されている。遮熱塗料としては、例えば、アクリル系ポリマ４１％、水酸化アンモニウム１２％、マイカ２５％、炭酸カルシウム２３％、酸化チタン６％、水を組成分とする水性アクリルエラストマー塗料が用いられる。
【００３０】
ハト小屋本体４の表面に張られたネット材１７及び樹脂モルタル層１８は、ハト小屋本体４の壁部となる筒状部５に設けられた貫通孔１３と一致する位置に貫通孔１３を塞がないように穴が設けられ、この穴が貫通孔１３と連通する貫通孔を構成している（以下、貫通孔１３と、この貫通孔１３と連通するネット材１７及び樹脂モルタル層１８に設けられた貫通孔を指して、単に貫通孔１３という。）。この貫通孔１３に、前記した金属パイプ１４が嵌められている。
【００３１】
次に、このような構造のハト小屋１を、建物の屋上スラブ２に設置する方法の一例を説明する。
【００３２】
先ず、屋上スラブ２の上にハト小屋本体４の壁部となる筒状部５を、貫通孔３の箇所を包囲して設置し、接着モルタルを介して屋上スラブ２の上に固定する。次に、この筒状部５に設けられている貫通孔１３に金属パイプ１４を嵌め、そして、筒状部５の壁面に、貫通孔１３の周囲を補強する補強用金属板１５を接着剤で接着し、また、筒状部５の鍔部８より下の部分の壁面に取付用金属板１６を接着剤で接着する。次に、筒状部５の外壁面に、ネット材１７を張る。ネット材１７には、筒状部５に設けられている貫通孔１３と一致する位置に、貫通孔１３を塞がないように穴を設ける。次に、ネット材１７が張られている筒状部５の外壁面に樹脂モルタルを塗布し、樹脂モルタル層１８を形成する。
【００３３】
この段階で、屋上スラブ２の貫通孔３を通して立ち上げた配管２０を、筒状部５に設けられている貫通孔１３に嵌められている金属パイプ１４を通して外に導出する。金属パイプ１４内には配管２０との間を防水するシーリング材（図示せず）を充填する。
【００３４】
また、図示しないが、筒状部５の外壁面に金属パイプ１４を通した配管２０を保護するために保護管を取り付ける場合、筒状部５の壁面に接着されている貫通孔１３の周囲を補強する補強用金属板１５を下地材として取り付けるようにする。
【００３５】
次に、筒状部５の上部開口部を蓋部６で閉鎖する。蓋部６による筒状部５の上部開口部の閉鎖は、筒状部５の上端に突設されている凸部１０を蓋部６の下面に形成されている凹部１１に嵌合し容易に外れないように固定する。このようにして筒状部５の上部開口部を蓋部６で閉鎖したら、この蓋部６の表面に、ネット材１７を張り、その上から樹脂モルタルを塗布し、樹脂モルタル層１８を形成する。
【００３６】
次に、筒状部５及び蓋部６に積層された樹脂モルタル層１８の表面に遮熱塗料を塗布して遮熱塗料層１９を形成することにより建物の屋上スラブ２におけるハト小屋１の組立が完了する。
【００３７】
なお、本例では、筒状部５の外壁面に樹脂モルタル層１８を形成した後に、屋上スラブ２の貫通孔３を通して立ち上げた配管２０を、筒状部５に設けられている貫通孔１３に嵌められている金属パイプ１４を通して外に導出しているが、この作業は必ずしもこの段階で金属パイプ１４に配管２０を通す必要はなく、少なくとも、筒状部５の上部開口部を蓋部６で閉鎖する前に行えばよい。
【００３８】
このようにして建物の屋上スラブ２におけるハト小屋１の組立が完了したら、屋上スラブ２上に敷設した防水膜２１を筒状部５のスカート部７に沿って立ち上げ、防水膜２１の端末をＬ形の止着部材２２で押さえ、止着部材２２をビスで筒状部５に接着した取付用金属板１６に取り付けて、防水膜２１の端末を筒状部５に固定し、防水膜２１の端末を筒状部５との間を防水するために止着部材２２と筒状部５の間にシーリング材２３を充填している。
【００３９】
この後、屋上スラブ２上の防水膜２１の上に、断熱材２４を敷設し、断熱材２２の上に押さえコンクリート２５を打設して建物の屋上スラブ２におけるハト小屋１の設置が完了する。
【００４０】
以上のように構成されたハト小屋１によれば、屋上スラブ２上に設置されるハト小屋本体４が合成樹脂発泡材で形成されているのでコンクリート製のものに比べて非常に軽量化することができ、また、合成樹脂発泡材からなるハト小屋本体４の表面にはネット材１７を介して樹脂モルタル１８が積層されているので、樹脂モルタル層１８によりハト小屋本体４の強度を確保することができるとともに、耐火性を得ることができる。
【００４１】
また、樹脂モルタル層１８の表面に遮熱塗料層１９が形成されてているので、遮熱塗料層１９が合成樹脂発泡材からなるハト小屋本体４の熱を拡散させることにより、ハト小屋本体４の蓄熱の防止を図ることができる。
【００４２】
また、ハト小屋本体４の壁部には、ネット材１７及び樹脂モルタル層１８を貫通した貫通孔１３が設けられているので、貫通孔１３を利用して屋上スラブ２の貫通孔３を通して立ち上げた配管２０を、筒状部５に設けられている貫通孔１３を通して外に導出することができ、そして、貫通孔１３内には金属パイプ１４が嵌められているので、貫通孔１３の補強を図ることができる。
【００４３】
また、本例では、筒状部５の壁面に、貫通孔１３の周囲を補強する補強用金属板１５が設けられているので、貫通孔１３に挿通された配管２０による下向きの荷重で貫通孔１３が破壊されるのを防止することができ、また、筒状部５の壁面に貫通孔１３と連通する保護管を取り付ける場合の下地材にもなる。このとき、補強用金属板１５にあっては、本例ではパンチングメタルが用いられているので、ビス等による取り付けが容易となる。
【００４４】
また、筒状部５の壁面に、屋上スラブ２上に敷設された防水膜２１の端末を止着する止着部材２２を取り付ける取付用金属板１６が設けられており、取付用金属板１６にあっては、本例ではパンチングメタルが用いられているので、ビス等による取り付けが容易となる。
【００４５】
また、本例では、ハト小屋本体４は筒状部５と蓋部６とで構成されているので、筒状部５と蓋部６とを着脱可能な固定手段により固定しておけば、筒状部５から蓋部６を外すことにより配管２０の設置や内部の点検等を容易に行うことができる。
【図面の簡単な説明】
【００４６】
【図１】本発明に係るハト小屋の一実施例を示す斜視図である。
【図２】図１に示したハト小屋のＡ−Ａ線断面図である。
【図３】本例のハト小屋の層構造を示す部分拡大切欠斜視図である。
【図４】本例のハト小屋の層構造を示す部分拡大断面図である。
【図５】本例のハト小屋の貫通孔の部分を示す一部省略拡大斜視図。
【図６】本例のハト小屋の壁面に設けられた取付用金属板の部分を示す一部省略正面図である。
【図７】本例のハト小屋を屋上に設置した状態を示す断面図である。
【符号の説明】
【００４７】
１  ハト小屋
２  屋上スラブ
３  貫通孔
４  ハト小屋本体
５  筒状部
６  蓋部
７  スカート部
８  鍔部
９  水切り部
１０  凸部
１１  凹部
１２  水切り部
１３  貫通孔
１４  金属パイプ
１５  補強用金属板
１６  取付用金属板
１７  ネット材
１８  樹脂モルタル層
１９  遮熱塗料層
２０  配管
２１  防水膜
２２  止着部材
２３  シーリング材
２４  断熱材
２５  押さえコンクリート
【図１】
2009034010.tif 000003
【図２】
2009034010.tif 000004
【図３】
2009034010.tif 000005
【図４】
2009034010.tif 000006
【図５】
2009034010.tif 000007
【図６】
2009034010.tif 000008
【図７】
2009034010.tif 000009